(57)【要約】【課題】浴槽フランジに対する目地材の相対的な高さ位置がずれてしまうことを容易に抑制でき、また、製造コスト及び施工手間を抑制した浴室の目地材取付構造を提供すること。【解決手段】浴室１の壁パネル２に固定された浴槽保持部材３によって浴槽フランジ４０の外周端部の垂下片４１が保持され、垂下片４１と壁パネル２との間に目地材５が挿入されてなる浴室１の目地材取付構造であって、浴槽保持部材３は、目地材５が係止する被係止部３０を有し、目地材５は、浴槽フランジ４０の上面４２と壁パネル２とに水密に接する上端部５０と、被係止部３０に係止する係止部５１とを有することを特徴とする。【選択図】図１
2012007412.tif 000002
【特許請求の範囲】
【請求項１】
浴室の壁パネルに固定された浴槽保持部材によって浴槽フランジの外周端部の垂下片が保持され、該垂下片と前記壁パネルとの間に目地材が挿入されてなる浴室の目地材取付構造であって、前記浴槽保持部材は、前記目地材が係止する被係止部を有し、前記目地材は、前記浴槽フランジの上面と前記壁パネルとに水密に接する上端部と、前記被係止部に係止する係止部とを有することを特徴とする浴室の目地材取付構造。
【発明の詳細な説明】
【技術分野】
【０００１】
本発明は、浴室の壁パネルと浴槽フランジの間の隙間に目地材を差し込んで水の浸入を防止する浴室の目地材取付構造に関するものである。
【背景技術】
【０００２】
従来から、浴槽４の浴室１内の水平方向の位置は、浴室１の壁パネル２とこの壁パネル２に固定した浴槽保持部材３´との間に、浴槽フランジ４０の外周端部の垂下片４１を差し込んで、垂下片４１を浴槽保持部材３´に係止させることで決められる（図４参照）。このようにして、浴槽フランジ４０は、壁パネル２に固定した浴槽保持部材３´に対する相対的な位置が決まる。このときにできる垂下片４１と壁パネル２との間の隙間に、目地材５´が差し込まれて、浴室１の壁パネル２と浴槽フランジ４０の間の隙間への水の浸入が防止される。
【０００３】
この目地材５´を取り付ける構造として、図４に示すような、専用の取付具６を用いた目地材取付構造が提案されている（特許文献１参照）。
【０００４】
この専用の取付具６は、上端部に被係止部６０を有し、下端部が壁パネル２の所定の高さ位置にねじ等の固着具８で固定される。目地材５´は、下端部の係止部５１´がこの被係止部６０に圧入されて、垂下片４１と壁パネル２との間の隙間に取り付けられる。このようにして、目地材５´は、壁パネル２に固定した取付具６に対する相対的な高さ位置が決まる。このとき、目地材５´の上端部５０´が、浴槽フランジ４０の上面４２と壁パネル２に弾性接触して、垂下片４１と壁パネル２との間の隙間の上部を水密に埋める。
【０００５】
このような構成とすることで、浴槽４に水を溜めたり抜いた際に水の重みで浴槽フランジ４０の上面４２がわずかに上下しても、この上面４２から目地材５´の上端部５０´が離れることがなく、目地材５´で隙間の上部を水密に埋めた状態を保持できる。
【先行技術文献】
【特許文献】
【０００６】
【特許文献１】特開２００９−２１９９１５号公報
【発明の概要】
【発明が解決しようとする課題】
【０００７】
しかし、上述の目地材取付構造であっては、以下のような問題があった。
【０００８】
すなわち、専用の取付具６を誤って所定の高さ位置よりも高目に取り付けてしまうと、その取付具６に取り付けた目地材５´の上端部５０´が浴槽フランジ４０の上面４２まで届かず、目地材５´で隙間の上部を水密に埋めることができないおそれがあった。つまり、浴槽フランジ４０に対する目地材５´の相対的な高さ位置がずれてしまって、目地材５´で隙間の上部を水密に埋めることができないおそれがあった。
【０００９】
また、浴槽保持部材３´とは別に、目地材５´を固定するための専用の取付具６を設けるのは、製造コストが嵩むとともに、それを取り付ける施工手間がかかるという問題があった。
【００１０】
そこで、本発明は、浴槽フランジに対する目地材の相対的な高さ位置がずれてしまうことを容易に抑制でき、また、製造コスト及び施工手間を抑制した浴室の目地材取付構造を提供することを課題とする。
【課題を解決するための手段】
【００１１】
上記課題を解決するための本発明は、浴室の壁パネルに固定された浴槽保持部材によって浴槽フランジの外周端部の垂下片が保持され、該垂下片と前記壁パネルとの間に目地材が挿入されてなる浴室の目地材取付構造であって、前記浴槽保持部材は、前記目地材が係止する被係止部を有し、前記目地材は、前記浴槽フランジの上面と前記壁パネルとに水密に接する上端部と、前記被係止部に係止する係止部とを有することを特徴とする。
【発明の効果】
【００１２】
本発明の浴室の目地材取付構造は、浴槽フランジに対する目地材の相対的な高さ位置がずれてしまうことを容易に抑制でき、また、製造コスト及び施工手間を抑制できる。
【図面の簡単な説明】
【００１３】
【図１】本発明の実施形態の浴室の目地材取付構造の側面図を示す。
【図２】同上の浴室の目地材取付構造における目地材を取り付ける前の状態を示し、（ａ）は斜視図を示し、（ｂ）は（ａ）のＡ部分の側面図を示す。
【図３】同上の浴槽保持部材を示し、（ａ）は斜視図を示し、（ｂ）は正面図を示し、（ｃ）は側面図を示し、（ｄ）は（ｂ）のＸ−Ｘ線における平面断面図を示す。
【図４】従来例の浴室の目地材取付構造の側面図を示す。
【発明を実施するための形態】
【００１４】
以下、本発明を図に示す実施形態の一例に基づいて説明する。
【００１５】
本実施形態の浴室の目地材取付構造は、図２（ａ），（ｂ）に示すように、平面視矩形状の床パン７の外周端部上に立設した少なくとも三枚の板状の壁パネル２，２，２と、この三枚の壁パネル２，２，２で三方が囲まれる床パン７上に載置される浴槽４と、から構成される。それらの構成に加えて、この三枚の壁パネル２，２，２に取り付けられる浴槽保持部材３と、この三枚の壁パネル２，２，２と浴槽４との間にできる隙間に差し込まれる目地材５と、を有する。なお、三枚の壁パネル２，２，２のうち２枚は互いに対向していて、３枚の壁パネル２，２，２で平面視コ字状を形成している。
【００１６】
床パン７は、浴槽４が載置される載置部分７０と、体を洗う洗い場部分７１とを、並べて設けたものであり、上面は略水平となっている。洗い場部分７１は、浴室１の出入口（図示せず）に近い側に設けられている。浴槽４が載置される載置部分７０の上面は、洗い場部分７１の上面よりも低くなるように設けられている。
【００１７】
浴槽４は、上方が開口した平面視略矩形状の箱体であり、その上端部からは全周に亘って浴槽フランジ４０が浴槽外側に向けて略水平方向に延び、その浴槽フランジ４０の外周端部からは全周に亘って垂下片４１が下方に向けて延びている。この浴槽フランジ４０の外周端部全体の形状は、平面視長方形状となっている。この平面視長方形状の浴槽フランジ４０の長手方向の両端間の長さは、床パン７上に立設された互いに対向する二枚の壁パネル２，２間の長さよりも若干短く形成されている。ここで、この互いに対向する二枚の壁パネル２，２に対向する部分の浴槽フランジ４０を短手側浴槽フランジ４０１，４０１とし、残りの一枚の壁パネル２に対向する部分の浴槽フランジ４０を長手側浴槽フランジ４０２とする。
【００１８】
浴槽４の平面視矩形状の底面４３には、上下に貫通する排水孔（図示せず）が設けてあって、この底面４３の４つの角部分には、突出長さを調整可能なアジャスターボルト等の脚部（図示せず）が下方に向けて設けてある。この脚部は、床パン７の載置部分７０上に載置した浴槽４の浴槽フランジ４０の上面４２が全周に亘って略水平となるように長さが調整される。
【００１９】
浴槽保持部材３は、図３（ａ）〜（ｄ）に示すように、壁パネル２に固定される固着部３１と、浴槽フランジ４０の垂下片４１の浴槽内側面に接触する垂下片当り部３２と、目地材５が係止する被係止部３０と、を有する。浴槽保持部材３は、壁パネル２に固定して、浴槽４の浴槽フランジ４０の垂下片４１を保持するものである。以下においては、浴槽保持部材３は、図１に示す壁パネル２に固定された状態を基準とし、壁パネル２の浴槽側の面が正対する方向を浴槽方向、その反対方向を壁パネル方向、その両方向に直交する水平方向を左右方向として説明を行う。
【００２０】
浴槽保持部材３は、図３（ｂ），（ｄ）に示すように、強度を上げるために、浴槽方向に開口する平面断面略Ｅ字状に形成されている。浴槽保持部材３は、この平面断面形状で上下に亘って形成されている。この平面断面略Ｅ字状の浴槽保持部材３は、主体となる板状の取付板３３と、その取付板３３の左右方向の両端から浴槽方向に向けて延びる側面板３４，３４と、取付板３３の左右方向の中央部から浴槽方向に向けて延びる中央板３５とから構成される。また、取付板３３は、図３（ｃ）に示すように、下部部分よりも上部部分が壁パネル２から離れるように、下部部分と上部部分の間に浴槽方向に上向きに傾斜する傾斜部分が設けられている。
【００２１】
固着部３１は、図３（ｂ）に示すように、この取付板３３の下部部分である。この下部部分の左右方向に離間した２箇所には、ねじ等の固着具８を挿入するための固着具挿入孔３１０が貫通して設けられている。
【００２２】
また、垂下片当り部３２は、この取付板３３の上部部分である。浴槽保持部材３が壁パネル２に固定された状態において、垂下片当り部３２は、壁パネル２との間に所定の隙間を置いた箇所に位置する。この所定の隙間は、垂下片４１の浴槽方向の厚みよりも少し広いものとなっている。なお、垂下片当り部３２の上端部には、浴槽方向に上向きに傾斜するガイド部３６が設けられている。このガイド部３６によって、垂下片４１がこの隙間にスムースに差し込まれる。
【００２３】
また、被係止部３０は、この取付板３３の上部部分と下部部分の間の傾斜部分から、壁パネル方向に突出して設けられたものである。被係止部３０は、側面視略矩形状に形成されている。ここで、被係止部３０は、壁パネル２との間に目地材５の下端を差し込むことができる程度に突出させて設けられている。また、被係止部３０は、取付板３３の左右方向全域に亘って設けられている。側面視略矩形状の被係止部３０は、下面が略水平となるように形成されているが、浴槽方向に上向きに傾斜するように形成されていても構わない。
【００２４】
目地材５は、図１に示すように、側面視略三角形状の上端部５０と、差込部５２と、係止部５１と、ヒレ部５３，５４と、から構成される。以下においては、目地材５は、垂下片４１と壁パネル２との間の隙間に差し込まれた状態を基準とし、壁パネル２の浴槽側の面が正対する方向を浴槽方向、その反対方向を壁パネル方向、その両方向に直交する水平方向を左右方向として説明を行う。
【００２５】
側面視略三角形状の上端部５０は、弾性を有する。上端部５０は、浴槽フランジ４０の上面４２と壁パネル２、及び垂下片４１と壁パネル２、との間にできる隙間の上端部を確実に埋めることができる程度の大きさに形成されている。この隙間に上端部５０が差し込まれた状態において、上端部５０の浴槽方向の面は、浴槽フランジ４０の上面４２から垂下片４１にかけて接触し、上端部５０の壁パネル方向の面は、壁パネル２に接触する。なお、上端部５０の上面は、図２（ｂ）に示すように、垂下片４１や壁パネル２に接していない状態において、浴槽方向へ下向きに傾斜した形状となっている。
【００２６】
差込部５２は、側面視略三角形状の上端部５０の三つの角部のうち、下側の角部から下方に延びるものである。差込部５２の下端部からは、浴槽方向に上向きに傾斜する係止部５１が延びている。係止部５１は弾性を有し、力を加えれば、差込部５２に沿わせることができる。また、差込部５２には、浴槽方向に延びる複数のヒレ部５３（図では３つ）と、壁パネル方向に延びるヒレ部５４（図では１つ）とが設けてある。なお、壁パネル方向に延びるヒレ部５４は複数であっても構わない。
【００２７】
目地材５は、図２（ａ）に示すように、長手側浴槽フランジ４０２とそれに対向する壁パネル２との間の隙間、及び短手側浴槽フランジ４０１，４０１とそれぞれに対向する壁パネル２，２との間の隙間、に水平方向の全長に亘って差し込まれるものである。つまり、目地材５は、図２（ｂ）で示される側面断面形状が、水平方向の全長に亘って連続するものとなっている。
【００２８】
以上のようにして構成される浴槽保持部材３及び目地材５を用いて、壁パネル２に浴槽４を取り付ける設置方法の一例について説明する。
【００２９】
まず、浴槽４を床パン７の載置部分７０上に載置させた状態において垂下片４１を位置させる部分に、浴槽保持部材３の垂下片当り部３２が位置するように、壁パネル２に浴槽保持部材３の固着部３１を当接させる。そして、固着具挿入孔３１０に固着具８を壁パネル方向に挿入して浴槽保持部材３を壁パネル２に固定する。
【００３０】
なお、浴槽保持部材３は、長手側浴槽フランジ４０２の水平方向の両端部に対向する壁パネル２の箇所（図２（ａ）のＡ部分）、及び短手側浴槽フランジ４０１，４０１の水平方向の両端部に対向する壁パネル２，２の箇所（図２（ａ）のＡ部分）に、固定している。本実施形態では、合計６個の浴槽保持部材３を用いている。
【００３１】
そして、浴槽保持部材３の垂下片当り部３２と壁パネル２との間に、浴槽フランジ４０の垂下片４１が位置するように、底面４３の脚部の長さを調整した浴槽４を上方から床パン７の載置部分７０上に載せる。このとき、垂下片４１は、垂下片当り部３２の上端のガイド部３６にガイドされて、垂下片当り部３２と壁パネル２との間の隙間にスムースに差し込まれる。ここで、短手側浴槽フランジ４０１，４０１の垂下片４１，４１の浴槽内側面と対応する浴槽保持部材３の垂下片当り部３２とは面接触した状態となる。このようにして、浴槽４の長手方向の水平位置は位置決めされた状態となる。
【００３２】
そして、長手側浴槽フランジ４０２の垂下片４１の浴槽内側面が対応する浴槽保持部材３の垂下片当り部３２に面接触するように、浴槽４の短手方向の位置を微調整する（浴槽４を洗い場部分７１側に若干引っ張る）。すると、浴槽４の短手方向の水平位置が位置決めされた状態となる。
【００３３】
この浴槽４の長手方向及び短手方向の位置が位置決めされた状態で、浴槽フランジ４０（短手側浴槽フランジ４０１，４０１及び長手側浴槽フランジ４０２）の垂下片４１と壁パネル２との間にできる隙間に、目地材５の差込部５２を上方から差し込む。このとき、目地材５の下端部の係止部５１は、浴槽保持部材３の被係止部３０と壁パネル２との間を通る際には、弾性変形して差込部５２に沿った状態となり、通り過ぎると、元の浴槽方向に上向きに傾斜した状態に戻る。
【００３４】
すると、浴槽保持部材３の被係止部３０に下端面に、目地材５の係止部５１が接触して、目地材５は浴槽保持部材３に係止されて取り付けられた状態となる。ここで、上面が浴槽方向へ下向きに傾斜した上端部５０は、下方に引っ張られて、弾性変形して、浴槽フランジ４０の上面４２と垂下片４１と、壁パネル２とに接触する。このとき、上面の傾斜角度は、弾性変形して、若干傾斜した略水平な状態へと変わる。このようにして、上端部５０は、浴槽フランジ４０の上面４２と壁パネル２、及び垂下片４１と壁パネル２、の間の隙間の上端部を水密に塞ぐ。また、目地材５の浴槽方向に延びるヒレ部５３は、垂下片４１に接触し、その反発力によって、上端部５０が壁パネル２にさらに押し付けられる。また、目地材５の壁パネル方向に延びるヒレ部５４は、壁パネル２に接触し、その反発力によって、上端部５０が浴槽フランジ４０の上面４２にさらに押し付けられる。
【００３５】
以上のように、浴槽４は壁パネル２に浴槽保持部材３を介して水平位置が位置決めされた状態で取り付けられる。そして、目地材５は浴槽４と壁パネル２との間に浴槽保持部材３を介して水平位置及び上下位置が位置決めされた状態で取り付けられる。
【００３６】
ここで、上述した浴室の目地材取付構造では、浴槽４に湯を溜めると、浴槽４の脚部間で且つ浴槽保持部材３間の部分の浴槽フランジ４０の上面４２が、その湯の重みで数ミリ程度下がることがある。また、その状態から湯を抜くと、その部分の浴槽フランジ４０の上面４２は元の水平位置まで戻る。しかし、本実施形態では、目地材５は、下端部が壁パネル２に固定された浴槽保持部材３に係止していて、上下位置が位置決めされている。よって、目地材５は、浴槽４と壁パネル２との間の隙間から上方に外れにくいものとなっている。また、浴槽フランジ４０の上面４２が数ミリ程度下がっても、それに合せて目地材５の上端部５０は、上面が浴槽方向への下方の傾斜角度が大きくなるように弾性変形するので、目地材５は浴槽フランジ４０の上面４２から離れにくいものとなっている。
【００３７】
上述のように、本実施形態の浴室の目地材取付構造は、浴室１の壁パネル２に固定された浴槽保持部材３によって浴槽フランジ４０の外周端部の垂下片４１が保持され、垂下片４１と壁パネル２との間に目地材５が挿入されてなる浴室１の目地材取付構造である。そして、浴槽保持部材３は、目地材５が係止する被係止部３０を有し、目地材５は、浴槽フランジ４０の上面４２と壁パネル２とに水密に接する上端部５０と、被係止部３０に係止する係止部５１とを有することを特徴とする。
【００３８】
以上のような構成とすることで、目地材５の係止部５１は、浴室１の壁パネル２に固定された浴槽保持部材３の被係止部３０に係止できる。ここで、この浴槽保持部材３には、浴槽フランジ４０の外周端部の垂下片４１も保持されている。すなわち、この浴槽保持部材３を介して壁パネル２に目地材５と浴槽４とを取り付けることができるので、浴槽４の浴槽フランジ４０に対する目地材５の相対的な高さ位置がずれてしまうことを抑制できる。よって、目地材５の上端部５０と浴槽フランジ４０の上面４２との間、及び目地材５の上端部５０と壁パネル２との間に、隙間ができることを抑制できる。ここで、従来例のように、専用の取付具６の取り付ける高さ位置を微調整する必要もないので、浴槽４の浴槽フランジに対する目地材の相対的な高さ位置がずれてしまうことを容易に抑制できる。また、従来例のように、目地材５を固定するための専用の取付具６を設ける必要もないので、製造コスト及び施工手間を抑制できる。
【００３９】
（変更例）
目地材５の上端部５０は、壁パネル２と浴槽フランジ４０の上面４２とに水密に接触可能であれば、本実施形態のような側面視略三角形状に限定されず、側面視矩形状であってもよいし、側面視多角形状であっても構わない。
【００４０】
また、浴槽保持部材３の垂下片当り部３２は、垂下片４１に接触して、浴槽４が壁パネル２から離れる方向に移動することを規制できれば、面接触しない形状としてもよい。
【００４１】
また、浴槽保持部材３の被係止部３０及び目地材５の係止部５１は、係止可能であれば、本実施形態の形状に限定されない。
【００４２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４３】
１      浴室
２      壁パネル
３      浴槽保持部材
３０    被係止部
４０    浴槽フランジ
４１    垂下片
４２    上面
５      目地材
５０    上端部
５１    係止部
【図１】
2012007412.tif 000003
【図２】
2012007412.tif 000004
【図３】
2012007412.tif 000005
【図４】
2012007412.tif 000006